(57)【要約】【課題】  スイッチを押下した時に起こる動作を、スイッチ押下前に表示してユーザにわからせ、その動作を取消しを容易にする。【解決手段】  本発明の情報処理装置は、第１の操作及び第２の操作を検知可能なスイッチと情報を表示する画面とを有し、第１の設定に従って前記画面に情報を表示する第１表示制御手段と、前記スイッチで前記第１の操作を検知した場合に、該スイッチで前記第２の操作を検知した場合に設定される第２の設定に従い、前記画面に情報を表示する第２表示制御手段と、前記第１の操作を検知した後に、前記第２の操作が検知された場合には前記第１の設定から前記第２の設定に切り替え、前記第２の操作が検知されずに前記第１の操作が解除されたことを検知した場合には前記第１の設定に従って前記画面に情報を表示するよう制御する第３表示制御手段とを備えたことを特徴とする。【選択図】  図２
2008092336.tif 000002
【特許請求の範囲】
【請求項１】
第１の操作及び第２の操作を検知可能なスイッチと情報を表示する表示画面とを有し、
第１の設定に従って前記表示画面に情報を表示する第１表示制御手段と、
前記スイッチで前記第１の操作を検知した場合に、該スイッチで前記第２の操作を検知した場合に設定される第２の設定に従い、前記表示画面に情報を表示する第２表示制御手段と、
前記第１の操作を検知した後に、前記第２の操作が検知された場合には前記第１の設定から前記第２の設定に切り替え、前記第２の操作が検知されずに前記第１の操作が解除されたことを検知した場合には前記第１の設定に従って前記表示画面に情報を表示するよう制御する第３表示制御手段とを備えたことを特徴とする情報処理装置。
【請求項２】
第１の操作及び第２の操作を検知可能なスイッチ、情報を表示する表示画面及び音声入力手段とを有し、
前記音声入力手段で入力された音声を音声認識する音声認識手段と、
第１の設定に従って前記表示画面に情報を表示する第１表示制御手段と、
前記スイッチで前記第１の操作を検知した場合に、前記音声認識手段で音声認識を実行し、該音声認識結果に基づいた第２の設定に従い、前記画面に情報を表示する第２表示制御手段と、
前記第１の操作を検知した後に、前記第２の操作が検知された場合には前記第１の設定から前記第２の設定に切り替え、前記第２の操作が検知されずに前記第１の操作が解除されたことを検知した場合には前記第１の設定に従って前記表示画面に情報を表示するよう制御する第３表示制御手段とを備えたことを特徴とする情報処理装置。
【請求項３】
第１の操作及び第２の操作を検知可能なスイッチを有する送信機であって、
前記スイッチで前記第１の操作を検知した場合に、該スイッチで前記第２の操作を検知した場合に設定される設定に従い、情報を表示するための制御信号を送信する第１送信手段と、
前記第１の操作を検知した後に、前記第２の操作が行われずに前記第１の操作が解除されたことを検知した場合には、設定を１つ前の設定に戻すための制御情報を送信する第２送信手段とを備えたことを特徴とする送信機。
【請求項４】
請求項３に記載の送信機であって、
前記第１の操作を検知した後に、前記第２の操作が検知された場合には、前記設定を確定するための制御信号を送信する第３送信手段をさらに備えたことを特徴とする送信機。
【請求項５】
第１の操作及び第２の操作を検知可能なスイッチと情報を表示する表示画面とを有する送信機であって、
前記スイッチで前記第１の操作を検知した場合に、該スイッチで前記第２の操作を検知した場合に設定される設定に従って、前記表示画面に情報を表示する第１表示制御手段と、
前記第１の操作を検知した後に、前記第２の操作が検知された場合には、前記設定に設定するための制御信号を送信する送信手段と、
前記第１の操作を検知した後に、前記第２の操作が行われずに前記第１の操作が解除されたことを検知した場合には、前記第１表示制御手段の表示を１つ前の表示に戻す第２表示制御手段とを備えたことを特徴とする送信機。
【請求項６】
第１の操作及び第２の操作を検知可能なスイッチと音声入力手段とを有する送信機であって、
前記スイッチで前記第１の操作を検知した場合に、前記音声入力手段から入力される音声を送信すると共に、音声認識を実行する制御信号を送信する第１送信手段と、
前記第１の操作を検知した後に、前記第２の操作が検知された場合には、前記音声認識の結果に基づく設定を確定するための制御信号を送信し、前記第２の操作が行われずに前記第１の操作が解除されたことを検知した場合には、１つ前の設定に戻すための制御情報を送信する第２送信手段とを備えたことを特徴とする送信機。
【請求項７】
第１の操作及び第２の操作を検知可能なスイッチと音声入力手段とを有する送信機であって、
音声を認識する音声認識手段と、
前記スイッチで前記第１の操作を検知した場合に、前記音声入力手段から入力される音声を前記音声認識手段で音声認識し、該音声認識結果に基づく設定の制御信号を送信する第１送信手段と、
前記第１の操作を検知した後に、前記第２の操作が検知された場合には、前記音声認識結果に基づく設定を確定するための制御信号を送信し、前記第２の操作が行われずに前記第１の操作が解除されたことを検知した場合には、１つ前の設定に戻すための制御情報を送信する第２送信手段とを備えたことを特徴とする送信機。
【請求項８】
送信機と情報処理装置で構成される情報処理システムであって、
前記送信機は、
第１の操作及び第２の操作を検知可能なスイッチと、
制御信号を送信する送信手段を有し、
前記スイッチで前記第１の操作を検知した場合には、第１の制御信号を送信し、
前記第２の操作が検知された場合には、第２の制御信号を送信し、
前記第１の操作が解除されたことを検知した場合には、第３の制御信号を送信し、
前記情報処理装置は、
情報を表示する表示画面と、
受信機からの制御信号を受信する受信手段と、
第１の設定に従って前記表示画面に情報を表示する第１表示制御手段と、
前記第１の制御信号を受信すると、前記第２の制御信号を受信した場合に設定される第２の設定に従い、前記表示画面に情報を表示する第２表示制御手段と、
前記第２の制御信号を受信すると、前記第２の設定に確定する第３表示制御手段と、
前記第３の制御信号を受信すると、前記第１の制御信号を受信した後に前記第２の制御信号を受信しなかった場合に、前記第１の設定に従って前記画面に情報を表示する第３表示制御手段とを備える、
ことを特徴とする情報処理システム。
【請求項９】
送信機と情報処理装置で構成される情報処理システムであって、
前記送信機は、
第１の操作及び第２の操作を検知可能なスイッチと音声入力手段とを有し、
前記スイッチで前記第１の操作を検知した場合に、前記音声入力手段から入力される音声を送信すると共に、音声認識を実行する制御信号を送信する第１送信手段と、
前記第１の操作を検知した後に、前記第２の操作が検知された場合には、前記音声認識の結果に基づく設定を確定するための制御信号を送信し、前記第２の操作が行われずに前記第１の操作が解除されたことを検知した場合には、１つ前の設定に戻すための制御情報を送信する第２送信手段とを備え、
前記情報処理装置は、
情報を表示する表示画面と、
第１の設定に従って前記表示画面に情報を表示する第１表示制御手段と、
受信機から制御信号及び音声を受信する受信手段と、
音声を認識する音声認識手段と、
音声認識を実行する制御信号を受信すると、前記受信手段から得られる音声を前記音声認識手段へ入力し、前記音声認識手段が出力する音声認識結果に基づいた第２の設定に従い、前記表示画面に情報を表示する第２表示制御手段と、
音声認識結果に基づく設定を確定するための制御信号を受信すると、前記第２の設定を確定して、前記表示画面に情報を表示する第３表示制御手段と、
設定を戻すための制御情報を受信すると、前記第１の設定に従って前記表示画面に情報を表示するよう制御する第４表示制御手段とを備える、
ことを特徴とする情報処理システム。
【請求項１０】
前記第１の操作が前記スイッチに接触することであり、前記第２の操作がスイッチを押下することを特徴とする請求項１又は２に記載の情報処理装置。
【請求項１１】
前記第１の操作が前記スイッチの接触箇所の移動量を検知することであり、前記第２の操作がスイッチを押下することを特徴とする請求項１又は２に記載の情報処理装置。
【請求項１２】
前記スイッチが２段階以上に押下可能なスイッチであり、前記第１の操作が所定の段階まで押下することであり、前記第２の操作が前記所定の段階からさらに押下することを特徴とする請求項１又は２に記載の情報処理装置。
【請求項１３】
前記第１の操作が解除されたことの検知は、前記スイッチの第一の操作を解除して所定の時間経過した時点で検知とすることを特徴とする請求項１又は２に記載の情報処理装置。
【請求項１４】
第１の操作及び第２の操作を検知可能なスイッチと情報を表示する表示画面を有する情報処理装置を制御するための制御方法であって、
第１の設定に従って前記表示画面に情報を表示する第１表示制御工程と、
前記スイッチで前記第１の操作を検知した場合に、該スイッチで前記第２の操作を検知した場合に設定される第２の設定に従い、前記表示賀宴に情報を表示する第２表示制御工程と、
前記第１の操作を検知した後に、前記第２の操作が検知された場合には前記第１の設定から前記第２の設定に切り替え、前記第２の操作が検知されずに前記第１の操作が解除されたことを検知した場合には前記第１の設定に従って前記表示画面に情報を表示するよう制御する第３表示制御工程とを備えたことを特徴とする制御方法。
【請求項１５】
第１の操作及び第２の操作を検知可能なスイッチと情報を表示する表示画面と音声を認識する音声認識手段とを有する情報処理装置を制御するための制御方法であって、
第１の設定に従って前記表示画面に情報を表示する第１表示制御工程と、
前記スイッチで前記第１の操作を検知した場合に、前記音声認識手段で音声認識を実行し、音声認識結果に基づいた第２の設定に従い、前記表示画面に情報を表示する第２表示制御工程と、
前記第１の操作を検知した後に、前記第２の操作が検知された場合には前記第１の設定から前記第２の設定に切り替え、前記第２の操作が検知されずに前記第１の操作が解除されたことを検知した場合には前記第１の設定に従って前記表示画面に情報を表示するよう制御する第３表示制御工程とを備えたことを特徴とする制御方法。
【請求項１６】
第１の操作及び第２の操作を検知可能なスイッチを有する情報処理装置を制御するための制御方法であって、
前記スイッチで前記第１の操作を検知した場合に、該スイッチで前記第２の操作を検知した場合に設定される設定に従い、情報を表示するための制御信号を送信する第１送信工程と、
前記第１の操作を検知した後に、前記第２の操作が行われずに前記第１の操作が解除されたことを検知した場合には、設定を１つ前の設定に戻すための制御情報を送信する第２送信工程とを備えたことを特徴とする制御方法。
【請求項１７】
第１の操作及び第２の操作を検知可能なスイッチと情報を表示する表示画面とを有する情報処理装置の制御方法であって、
前記スイッチで前記第１の操作を検知した場合に、該スイッチで前記第２の操作を検知した場合に設定される設定に従って、前記表示画面に情報を表示する第１表示制御工程と、
前記第１の操作を検知した後に、前記第２の操作が検知された場合には、前記設定に設定するための制御信号を送信する送信工程と、
前記第１の操作を検知した後に、前記第２の操作が行われずに前記第１の操作が解除されたことを検知した場合には、前記第１表示制御工程の表示を１つ前の表示に戻す第２表示制御工程とを備えたことを特徴とする制御方法。
【請求項１８】
第１の操作及び第２の操作を検知可能なスイッチと音声を入力する音声入力手段とを有する情報処理装置の制御方法であって、
前記スイッチで前記第１の操作を検知した場合に、前記音声入力手段から入力される音声を送信すると共に、音声認識を実行する制御信号を送信する第１送信工程と、
前記第１の操作を検知した後に、前記第２の操作が検知された場合には、前記音声認識の結果に基づく設定を確定するための制御信号を送信し、前記第２の操作が行われずに前記第１の操作が解除されたことを検知した場合には、１つ前の設定に戻すための制御情報を送信する第２送信工程とを備えたことを特徴とする制御方法。
【請求項１９】
第１の操作及び第２の操作を検知可能なスイッチと音声を入力する音声入力手段とを有し、制御信号を送信する送信方法であって、
前記スイッチで前記第１の操作を検知した場合に、前記音声入力手段から入力される音声を前記音声認識し、該音声認識結果に基づく設定の制御信号を送信する第１送信工程と、
前記第１の操作を検知した後に、前記第２の操作が検知された場合には、前記音声認識結果に基づく設定を確定するための制御信号を送信し、前記第２の操作が行われずに前記第１の操作が解除されたことを検知した場合には、１つ前の設定に戻すための制御情報を送信する第２送信工程とを備えたことを特徴とする送信方法。
【請求項２０】
請求項１４乃至１９のいずれかに記載の方法をコンピュータに実行させるためのプログラム。
【発明の詳細な説明】
【技術分野】
【０００１】
本発明は、ユーザ操作に基づいて情報を表示する情報処理装置に関する。
【背景技術】
【０００２】
家電やポータブルオーディオなどの情報機器ではユーザの操作性が重要である。従って機器の操作性を向上させるために様々な工夫が行なわれている。例えば、リスト選択においてはホイールを回転させてリスト選択を高速にしたり、タッチセンサでリスト選択やポインタの移動をさせたりと工夫を凝らしている。
【０００３】
ところで、情報機器の多機能化により、機器を操作するスイッチを押すと何が起こるのかわからないという問題が増えてきた。例えば近年のテレビやＤＶＤレコーダのリモコンには数十ものボタンがついており、それぞれを押すと何が起こるのか、わかり難い。また、デジタルカメラのような小型機器ではスイッチ数が限られているため十字キーなどの汎用のキーに複数の機能を割り当てる事があり、やはり現状態で何を押すと何が起こるのか、わかりづらい。もちろんそれぞれのボタンの機能はマニュアルに説明を載せてはいる。しかし、マニュアルを読むという作業自体がユーザには負担である。従ってマニュアルを読まなければわからない操作は操作性が悪いとみなされてしまう。
【０００４】
この課題を解決する方法として二つが挙げられる。第一に、取消ボタンである。取消ボタンを押下すると、直前に押下したスイッチの動作を取り消し、一つ前の状態に戻す。これにより、ユーザはスイッチを押して意図と異なる操作をしてしまっても、すぐに元の状態に戻すことができる。
【０００５】
第二にヘルプ機能である。ヘルプモードに設定した状態で各スイッチを押下すると、そのスイッチを通常モードで押下した時に起こる動作の説明を、画面表示あるいは音声で通知する。特許文献１では、スイッチに、指が近づいたことを検知するセンサ、強弱センサ、二段階スイッチなどを用意し、スイッチの操作に応じて操作機能を画面表示あるいは音声で通知する。このようなヘルプ機能によって、ユーザはそのスイッチの機能を知ることができる。
【特許文献１】特開２００３−７００８２号公報
【発明の開示】
【発明が解決しようとする課題】
【０００６】
しかしながら、上記二つの解決方法には欠点がある。
【０００７】
取消ボタンについては、取消機能のためにスイッチを用意しなければならない、という点である。小型機器においてもリモコンにおいても、スペースや総スイッチ数の問題からスイッチをなるべく少なくしたいという要求がある。取消機能のためにスイッチを用意しなければならないというのは場合によっては難しい。
【０００８】
ヘルプ機能については、画面表示や音声で操作の説明をしても、実際に何が起こるのかわからない場合もある。例えば、ディスプレイで「入力を切り換えます」と説明されても、実際に何が表示されるのか直感的にわかりづらい。
【０００９】
従って、スイッチを押下した時に起こる動作を、スイッチ押下前に表示してユーザにわからせる手段、そしてその動作を簡単に取り消すことのできる手段があることが望ましい。
【課題を解決するための手段】
【００１０】
上記課題を解決するために、本発明の情報処理装置は、第１の操作及び第２の操作を検知可能なスイッチと情報を表示する表示画面とを有し、第１の設定に従って前記表示画面に情報を表示する第１表示制御手段と、前記スイッチで前記第１の操作を検知した場合に、該スイッチで前記第２の操作を検知した場合に設定される第２の設定に従い、前記表示画面に情報を表示する第２表示制御手段と、前記第１の操作を検知した後に、前記第２の操作が検知された場合には前記第１の設定から前記第２の設定に切り替え、前記第２の操作が検知されずに前記第１の操作が解除されたことを検知した場合には前記第１の設定に従って前記表示画面に情報を表示するよう制御する第３表示制御手段とを備えたことを特徴とする。
【発明の効果】
【００１１】
本発明によれば、ユーザは、スイッチ操作したことによる表示を確認しながら、スイッチ操作の確定、取消を同じボタンで簡単に実行することができる。
【発明を実施するための最良の形態】
【００１２】
以下、図面を参照しながら本発明の好適な実施例について説明していく。
【実施例１】
【００１３】
図１に、本発明の実施例１における情報処理装置を表すブロック図を示す。同図において、１０１は制御部であり、例えば、後述するＲＯＭ等に格納されているアプリケーションプログラム、オペレーティングシステムや制御プログラムなどを実行し、ＲＡＭにプログラムの実行に必要な情報、ファイル等を一時的に格納する制御を行う。１０２はＲＡＭであり、各種データを一時記憶し、制御部の主メモリ、ワークメモリ等として機能する。１０３はＲＯＭであり、基本Ｉ／Ｏプログラム等のプログラムや、基本処理において使用する各種データ等を保持する。
【００１４】
１０４はタッチセンサ付き押下スイッチであり、タッチセンサを表面に具備し、また押下可能であるスイッチである。スイッチ１０４は、接触と押下の二つの操作を検知可能であり、スイッチ１０４の操作に基づいて制御部１０１により表示の制御が行われる。１０５は、情報を表示する表示部である。
【００１５】
図２は、本発明の実施例１における情報処理装置の動作のフローチャートである。図１、図２を用いて、本実施例の動作を説明する。まずステップＳ２０１において、制御部１０１は、ある設定１に基づいて、情報を表示部１０５に表示させている。このときステップＳ２０２にてユーザがスイッチ１０４に接触する。するとステップＳ２０３にて、スイッチ１０４が有する機能を実行した設定２に基づいて、制御部１０１は情報を表示部１０５に出力する。ここで、ステップＳ２０４にて、ユーザがスイッチ１０４を押下すると、ステップＳ２０５にて制御部１０１は設定２を確定させて情報を表示部１０５に出力する。ユーザがステップＳ２０６でスイッチ１０４を放しても、設定２が確定しているので、ステップＳ２０７にて制御部１０１は設定２のまま情報を表示部１０５に出力する。一方、ステップＳ２０３からユーザがスイッチ１０４を押下せずにステップＳ２０６にてスイッチ１０４を放すと、制御部１０１は設定１に戻し、設定１に基づいて情報を表示部１０５に表示させる。
【００１６】
図３は、具体的に情報処理装置の表示が切り換わる様子をあらわす図である。同図において３０１は設定１で表示している情報処理装置、３０２は設定２で表示している情報処理装置である。情報処理装置はスイッチ１０４を具備している。今、３０１はある画像を表示している。ここで、スイッチ１０４のうち、拡大操作を実行する拡大キーにユーザが触れる。すると情報処理装置は３０２のように拡大を実行して表示する。ここで、ユーザが拡大キーを押下すると拡大操作を確定し、３０２にて表示部１０５には拡大された画像が表示されたままになる。一方、ユーザが拡大キーを押下せずに放すと、拡大操作がキャンセルされ、３０１に戻って表示部１０５には拡大前の画像を再び表示する。
【００１７】
なお、本発明のアプリケーションが画像の拡大表示に限定されることはないことは言うまでもなく、様々なアプリケーションに実現可能である。
【実施例２】
【００１８】
実施例１の図３ではスイッチにタッチセンサを具備し、スイッチに触れたことを第一の操作として設定１から設定２に切り換えて表示し、スイッチの押下を第二の操作として確定し、押下せずに放すことで取消を実現している。しかし本発明はこれに限られるものではなく、タッチセンサ上でスイッチに触れながら指を移動させ、タッチセンサがこの移動を検知したことを第一の操作としても良い。
【００１９】
図４に本実施例の様子を表す。同図において、４０１は、ホイール形状をしており、表面にタッチセンサを具備し、また上下左右四方向に押下可能なタッチホイールである。今、表示部１０５に画像が表示されており、この画像に対して色調補正をかける例をあげて説明する。ユーザがタッチホイール４０１を触れながらタッチホイール４０１に沿って指を回すと、その移動量をタッチホイール４０１が検知し、移動量に併せて色調テーブルを移動させ、表示部１０５に表示されている画像の色調が次々と変化する。ユーザがタッチホイールを押し込むと、その時点で表示されている色調に確定する。一方ユーザがタッチホイールを押し込まずに放すと、画面に表示されている画像は色調を補正する前の元の画像に戻る。
【００２０】
なお、本実施例は色調補正に限られるものでないことは言うまでもない。例えば、静止画像のスライドショーや動画の表示において、タッチホイールをなぞると回転方向に応じて早送り、巻き戻しを実行する。そしてタッチホイールを押し込むとその位置で確定、押し込まずに放すと、なぞる前に表示していた画面に戻る。このように、様々なアプリケーションに実現可能である。
【実施例３】
【００２１】
上記実施例は情報を画面に表示する情報処理装置に接触センサ付きスイッチを具備しているが、本発明はこれに限られるものではなく、情報処理装置をリモートコントロール装置で操作する場合にも適用できる。本実施例ではリモートコントロール装置に適用した例をあげて説明する。本実施例の様子を図５に示す。同図において、５０１はテレビ放送を表示するテレビ、５０２はテレビ５０１を操作するリモートコントロール装置である。５０３は、テレビ５０１のチャンネルを変更するチャンネルスイッチであり、チャンネルスイッチ５０３は上記実施例のスイッチ１０４と同様にタッチセンサを表面に具備した押下スイッチである。ユーザがチャンネルスイッチに触れると、リモートコントロール装置５０２はテレビ５０１にそのチャンネルを表示するよう制御する信号を送信する。ここでチャンネルスイッチを押下すると、テレビ５０１にそのチャンネルで確定するよう制御する信号を送信する。一方、チャンネルスイッチを押下せずに放すと、そのチャンネルから一つ前の表示に戻すよう制御する信号を送信する。ただしこの場合、確定するための制御信号は送信しなくとも良い。
【００２２】
また、設定取消の判定をテレビ５０１に行なわせても良い。すなわち、チャンネルスイッチ５０３に触れた時にはそのチャンネルに切り換えて表示する信号を送信する。またチャンネルスイッチ５０３が押下された時にはチャンネルを確定する制御信号を送信する。スイッチを放した時には、チャンネルスイッチ５０３が押下されようがされまいが、設定を取り消して一つ前の表示に戻すよう制御する信号を送信する。この時、テレビ５０１が、直前にチャンネルスイッチ５０３の設定を確定する制御信号を受信していた場合には設定取消の制御信号を無視する。
【００２３】
これらいずれの形態でも次の動作が実現できる。例えば、８チャンネルのチャンネルスイッチに触れるとテレビの表示が８チャンネルに切り換わる。その状態でチャンネルスイッチを押下すると８チャンネルで確定し、放しても８チャンネルのままとなる。一方、チャンネルスイッチを押下せずに放すと、チャンネルは８チャンネルから元のチャンネルに戻る。
【００２４】
このように、チャンネルスイッチを押下した場合に起こる現象のシミュレーション、操作の確定、操作のキャンセルを連続した動作で行うことができるようになるため、操作性が向上する。
【実施例４】
【００２５】
上記実施例は第一の操作でスイッチに触れたときに、第二の操作でスイッチを押下して確定した時の設定に基づいた表示を、第二の操作時と同じ表示画面に表示している。しかし、本発明はこれに限るものではなく、第一の操作で表示する画面と、第二の操作で確定して表示する画面を分けても良い。
【００２６】
図６に、表示画面を分けた本実施例の様子を示す。同図において、６０１は情報を表示するディスプレイである。６０２はディスプレイ６０１の表示画面である。６０３は、ディスプレイ６０１を操作するリモートコントロール装置である。６０４は、リモートコントロール装置上で情報を表示するリモート表示画面である。６０５は、タッチセンサを表面に具備した押下可能なスイッチである。
【００２７】
同図において、例えばスイッチ６０５に触れると、そのスイッチの設定に基づいた表示をリモート表示画面６０４に表示する。その状態でスイッチ６０５を押下すると、そのスイッチの設定で確定する制御信号をリモートコントロール装置６０３からディスプレイ６０１に送信し、ディスプレイ６０１は受信した制御信号の設定に基づいて情報を表示画面６０２に表示する。
【実施例５】
【００２８】
上記実施例は第一の操作でスイッチに触れたときに、スイッチの役割に基づいて設定を変更し、第二の操作で設定を確定し、第二の操作を行なわずにスイッチを放した時に設定を取り消している。これに対し、本実施例は、第一の操作でスイッチに触れると音声認識を実行し、音声認識結果に基づいて設定を変更し、第二の操作で設定を確定し、第二の操作を行なわずにスイッチを放した時に設定を取り消す。
【００２９】
図７に、音声認識を用いた本実施例の様子を示す。同図において、７０１は、情報を表示するディスプレイである。７０２は、ディスプレイ７０１の表示画面である。７０３は、ディスプレイ７０１を操作するリモートコントロール装置である。７０４は、音声を入力するマイクである。７０５は、表面にタッチセンサを具備し、押下可能なスイッチである。
【００３０】
スイッチ７０５に触れると、マイク７０４から音声を取り込み、音声認識を実行し、設定の制御コマンドに変換する。このとき、音声認識をリモートコントロール装置７０３で実行して制御コマンドをディスプレイ７０１に送信しても良いし、音声をディスプレイ７０１に送信してディスプレイで音声認識しても良い。ディスプレイ７０２は、制御コマンドの設定に基づいて表示画面７０２に表示する。ここでユーザがスイッチ７０５を押下すると、前記音声認識結果に基づいた制御コマンドの設定が確定する。一方、スイッチ７０５を押下せずに放すと、前記音声認識結果に基づいた制御コマンドの設定をキャンセルし、設定を元に戻して表示画面７０２に表示する。
【実施例６】
【００３１】
上記実施例ではスイッチとしてタッチセンサを表面に具備した押下可能なスイッチを用いたが、本発明はこれに限られるものではなく、複数の操作を検知可能なスイッチであれば良い。例えば、二段階に押下可能なスイッチや、複数段階に倒せるレバーなどでも良い。
【実施例７】
【００３２】
上記実施例ではスイッチから放した時点で取消とみなしているが、本発明はこれに限られるものではなく、例えばスイッチを放してから所定の時間が経ったことを検知して取消とみなしても良い。例えば図５のチャンネル切替の場合、８チャンネルのスイッチに触れていて１０チャンネルのスイッチに移動する時に、８チャンネルのスイッチを放した瞬間に元のチャンネルに戻るようでは使い難い。そこで、放してから所定の時間は取消しされなければ、チャンネルキーを触れるごとに、８チャンネル→１０チャンネル→６チャンネルと、元のチャンネルに戻らずチャンネルを次々と切り替えることが出来る。ユーザはそのように次々とスイッチに触れて各チャンネルを確認し、気に入ったチャンネルで押し込んでチャンネル切替を確定できる。気に入ったチャンネルがなければキーから手を放せば所定時間後に元のチャンネルに戻る。
【００３３】
なお、本発明の目的は次のようにしても達成される。即ち、前述した実施形態の機能を実現するソフトウェアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読み出し実行する。このようにしても目的が達成されることは言うまでもない。
【００３４】
この場合、記憶媒体から読み出されたプログラムコード自体が前述した実施形態の機能を実現することになり、そのプログラムコードを記憶した記憶媒体は本発明を構成することになる。
【００３５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００３６】
また、本発明に係る実施の形態は、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００３７】
さらに、本発明に係る実施形態の機能は次のようにしても実現される。即ち、記憶媒体から読出されたプログラムコードが、コンピュータに挿入された機能拡張ボードやコンピュータに接続された機能拡張ユニットに備わるメモリに書込まれる。そして、そのプログラムコードの指示に基づき、その機能拡張ボードや機能拡張ユニットに備わるＣＰＵなどが実際の処理の一部または全部を行う。この処理により前述した実施形態の機能が実現されることは言うまでもない。
【図面の簡単な説明】
【００３８】
【図１】実施例にかかる情報処理装置の機能構成を表すブロック図である。
【図２】実施例にかかる情報処理装置の動作を表すフローチャートである。
【図３】実施例１におけるスイッチの使用形態を表す図である。
【図４】実施例２におけるスイッチの使用形態を表す図である。
【図５】実施例３におけるスイッチの使用形態を表す図である。
【図６】実施例４におけるスイッチの使用形態を表す図である。
【図７】実施例５におけるスイッチの使用形態を表す図である。
【符号の説明】
【００３９】
１０１  タッチセンサ付き押下スイッチ
１０２  表示制御部
１０３  表示画面
【図１】
2008092336.tif 000003
【図２】
2008092336.tif 000004
【図３】
2008092336.tif 000005
【図４】
2008092336.tif 000006
【図５】
2008092336.tif 000007
【図６】
2008092336.tif 000008
【図７】
2008092336.tif 000009